Podtech/llm-jp-corpus-v4-ja_patent huggingface dataset:
(57)【要約】【課題】着付をする時に、襟元の着崩れを防止する手段として、襟元ズレ防止紐を提供する。【解決手段】芯材を覆ったベルトの両端にＤ環を設けて、一方にクリップとバイヤス布と通り抜け防止ベルトからなる紐をＤ環に通して、身体の前で襟元を押さえて紐を結ぶことができることを特徴とした襟元ズレ防止紐。【選択図】図４
2008202202.tif 000002
【特許請求の範囲】
【請求項１】
芯材を覆ったベルトの両端にＤ環を設けて、一方にクリップとバイヤス布と通り抜け防止ベルトからなる紐をＤ環に通して、身体の前で襟元を押さえて紐を結ぶことができることを特徴とした襟元ズレ防止紐。
【発明の詳細な説明】
【技術分野】
【０００１】本発明は、着物を着る時に、不安定になり易い襟元を身体に負担のかからない様に固定させる襟元ズレ防止紐に関するものである。
【背景技術】
【０００２】着付をする際、着丈を決めて腰紐でしっかり押さえ、次に襟元を決める時、１本の長い紐を使用していたが、しっかり押さえようとして、強く締めると苦しくなり、普通に、又少々緩めにすると、襟元がぐずぐずになり易い。
そこで、コーリンベルト（登録商標）という全体がゴムでできているものが発明され、使用されている。
【発明の開示】
【発明が解決しようとする課題】
【０００３】しかし、上記のコーリングベルト（登録商標）を使っても、着物を着る時には、次の様な問題点があった。
（イ）長い紐で襟元を一直線で押さえていると、呼吸をしている内に多少づつのズレが生じ易く、襟元のくずれの原因になってしまっている。
（ロ）襟元から襟元を押さえる全体がゴム使いのベルトの場合は安定面からの調整がしづらく、襟を正しく押さえようと思っても、全体がゴムのため、片方づつの引き具合によって襟元がアンバランスになり易い。
本発明は、以上の問題点を解決するためになされたものである。
【課題を解決するための手段】
【０００４】芯材を覆ったベルトの両端にＤ環を設けて、一方にクリップとバイヤス布と通り抜け防止ベルトからなる紐をＤ環に通して、身体の前で襟元を押さえて紐を結ぶことができることを特徴とした襟元ズレ防止紐。
【発明の効果】
【０００５】本発明は、背中部分は柔らかいベルト部分になっているため身体に負担がかからず、安定しており、脇と前の部分はバイヤス使いの布を使用しているため、伸縮性を利用しているので、身体に負担が少なく、両脇部分だけで締めて襟の調整ができる。
又、襟元の端をクリップでつかんでいるので、しっかりと襟が押さえられ、前で紐を結ぶため、楽に使用し易く、直線紐だけで作られているのではなくバイヤス布使いも入っているので、締めつけられている窮屈感がなく、身体への負担が少なく、楽に使える。
又、カラフルな色使いをしたなら、若者達の浴衣等には、色を選んで楽しんでもらいながら、しっかりとした襟の安定した着付の手助けになると思われる。
【発明を実施するための最良の形態】
【０００６】以下本発明の実施の形態を説明する。
（イ）芯材（１）を布帯（２）で覆いベルト（３）を形成し、両端にＤ環（４）を設ける。
（ロ）上記のベルト（３）以外に紐（５）を設ける。この紐（５）の構成は次の様になっている。身体に当たる脇の部分は、バイヤス布（６）を用い、端にクリップ（７）を設け、布を折り返し袋縫いしてＤ環（４）通り抜け防止ベルト（８）、（８ａ）の所までの紐として形成し、Ｄ環通り抜け防止ベルト（８）から先は、一重の紐にしてバイヤス使いの結び紐（９）部分を形成する。
（ハ）ベルト（３）のＤ環（４）のところにクリップ（７）を通し、バイヤス（６）使いの脇の部分のところで紐を折り返し、結び紐（９）の部分とクリップ（７）のついた紐（１０）部分とができる。
同様に紐（５）を他端にも装着する。
本発明は、以上の構成で、これを使用する時は、着物の左下前の襟元（１１）の所をクリップ（７）で押さえ、結び紐（９）を残し、もう一方のクリップ（７）で右上前の襟元（１２）を押さえ、結び紐（９）を残し、ベルト（３）面と脇バイヤス（６）面を指でしごき、襟と整えて前で一重のバイヤス（９）紐で結ぶ。
この結果、背中側もベルト（３）を使っているので安定感があり、脇バイヤス（６）部分で調整がとれ、前で紐を結ぶので、襟がぐらつくことはなく楽に着付けることができる。
後ろのベルト（３）部分を長くも短くもすることによってどのような体型の方にもあわせられる。
なお、本発明について紐（５）の一重、二重にしたことは次の意味である。
一重使いにしたのは、前で結ぶ時に少しでも紐の結びこぶが小さくなるようにとのことである。二重使いにしたのは、引き具合を調整する軸となる部分なのでしっかり固定という意味がある。
又、着物を着る時は、表面に出ている着物と帯等の美しさをより引き立てるのは、目に見えない所の土台となる所の補正と紐が大切だと思われる。
【図面の簡単な説明】
【０００７】
【図１】  本発明ベルトの説明図
【図２】  本発明の押さえ紐の説明図
【図３】  本発明の組立前の説明図
【図４】  本発明の組立図
【図５】  本発明を使用して結び途中の着用姿図
【図６】  本発明を使用して紐まで結んだ着用姿図
【図７】  従来のコーリンベルトの説明図
【図８】  従来のコーリンベルト着用の姿図
【符号の説明】
【０００８】  １        芯材
２        布帯体
３        ベルト
４        Ｄ環
５        紐
６        脇バイヤス
７        クリップ
８        Ｄ環通り抜け防止ベルト
８（ａ）  Ｄ環通り抜け防止ベルト
９        結び紐
１０      バイヤスとクリップのついた紐
１１      襟先
１２      襟先
【図１】
2008202202.tif 000003
【図２】
2008202202.tif 000004
【図３】
2008202202.tif 000005
【図４】
2008202202.tif 000006
【図５】
2008202202.tif 000007
【図６】
2008202202.tif 000008
【図７】
2008202202.tif 000009
【図８】
2008202202.tif 000010
(57)【要約】【課題】  ヘルメットを被るとき、ヘアーセットの崩れを防止する内面に突起を点在させたヘアーセット維持キャップを提供する。【解決手段】  キャップ（１）の内面に、突起（２）を点在させ、ヘアーセット維持を特徴とする。【選択図】図１
2008202203.tif 000002
【特許請求の範囲】
【請求項１】
ヘルメットの内面の形状に合わせたキャップ（１）を作り、キャップ（１）の内面に突起（２）を間隔をあけて点在させる。
以上の構成よりなるヘアーセット維持キャップ。
【発明の詳細な説明】
【技術分野】
【０００１】この発明は、ヘルメットの内部の形状に合わせたキャップの内面に、突起を間隔をあけて点在させたヘルメット用ヘアーセット維持キャップに関するものである。
【背景技術】
【０００２】従来、ヘルメットの内部形状は平面である。
【発明の開示】
【発明が解決しようとする課題】
【０００３】これは、次のような欠点があった。
従来、ヘルメットの内部形状は平面であるためヘアーセットがくずれ、困ることが多かった。
本発明は、以上のような欠点をなくすためになされたものである。
【課題を解決するための手段】
【０００４】ヘルメットの内部形状に合わせたキャップ（１）の内面に突起を設け、点在させる。
本発明は、以上の構成よりなるヘアーセット維持キャップである。
【発明の効果】
【０００５】間隔をあけて点在させた突起により、ヘルメットとヘアーの接地面が少なくなりヘアーセットがくずれない
【発明を実施するための最良の形態】
【０００６】以下、本発明を実施するための最良の形態について説明する。
ヘルメットの内面に合わせ、ゴムでキャップ（１）を作る。キャップ（１）の内面に、ゴムの円柱状の突起（２）を点在させる。キャップ（１）の外面に接着剤を塗布し、ヘルメットの内面に貼り付けて使用する。
本発明は、以上のような構造である。
【図面の簡単な説明】
【０００７】
【図１】本発明の底面図である。
【図２】本発明の断面図である。
【図３】本発明の正面図である。
【図４】本発明の右側面図である。
【符号の説明】
【０００８】１    キャップ
２    突起
【図１】
2008202203.tif 000003
【図２】
2008202203.tif 000004
【図３】
2008202203.tif 000005
【図４】
2008202203.tif 000006
(57)【要約】【課題】屋根の軒先に取り付けられる雨樋の集水器であって、枯葉等が詰まったり、蓄積し堆積することを防ぐ枯葉排出型集水器を提供すること。【解決手段】屋根の軒樋と立て樋の途中に配置され、屋根に降った雨や枯葉等を軒樋を通して集め、立て樋に導く、集水器において、枯葉を濾すための網、もしくは溝と、その枯葉を集水器の外に出すための排出口を設けた。前記網もしくは溝は、軒樋接続部から前記枯葉排出口に向かって、若干下り勾配に湾曲させていることが好ましい。【選択図】図１
2008202276.tif 000002
【特許請求の範囲】
【請求項１】
本発明は、屋根の軒樋と立て樋の途中に配置され、屋根に降った雨や枯葉等を軒樋を
通して集め、立て樋に導く、集水器において、枯葉を濾すための網、もしくは溝と、その枯葉を集水器の外に出すための排出口を設けたことを特徴とする枯葉排出型集水器。
【請求項２】
前記網、もしくは溝は軒樋接続部から前記枯葉排出口に向かって、若干下り勾配に湾曲させている請求項３二記載の枯葉排出型集水器。
【発明の詳細な説明】
【技術分野】
【０００１】
屋根の軒先に取り付けられる雨樋の枯葉排出型集水器に関する。  
【背景技術】
【０００２】
現在、屋根の軒先に取り付けられる雨樋の集水器には、屋根に落ちた枯葉等を取り除く機能は無いために、前記集水器に枯葉等が詰まったり、蓄積し、さらに堆積するために、雨水の排水不良を引き起こす原因となっている、また雨樋に集まった枯葉は前記集水器、立樋を経由し、地中に埋設された雨水排水のための排水溜め升に、蓄積し堆積する為に、排水不良を引き起こす原因となっている、屋根の雨樋の集水器の近くに草が生えたりした光景を目にする事がよくあります、堆積し腐葉土化した枯葉の上に草が生え雨樋が雨樋の働きをしなくなっているのです。そうなると、家は痛んできます、雨樋を掃除することは大変危険が伴う為に、建築業者に依頼して除去してもらうか取替えするしかなかった。
【０００３】
例えば、特許文献１参照のように、雨樋の集水器と軒樋の内側に有孔カバーをした場合相当量の枯葉が、前記有孔カバーに引っ掛りスムーズに排出されず、蓄積し堆積するために、軒樋の内側に枯葉が腐葉土化し蓄積されることが懸念されると言う問題があった。
【特許文献１】特開２００１−２４１１５３
【発明の開示】
【発明が解決しようとする課題】
【０００４】
本発明が解決しようとする課題は、屋根の軒先に取り付けられる雨樋の集水器であって、枯葉等が、詰まったり、蓄積し堆積することを防ぐことを特徴とする雨樋の集水器を提供することにある。  
【課題を解決するための手段】
【０００５】
本発明は、屋根の軒樋と立て樋の途中に配置され、屋根に降った雨や枯葉等を軒樋を
通して集め、立て樋に導く、集水器において、枯葉を濾すための網もしくは溝と、その枯葉を集水器の外に出すための排出口を設けたことを特徴とする。前記網もしくは溝は軒樋接続部から前記枯葉排出口に向かって、若干下り勾配に湾曲させていることが好ましい。
【発明の効果】
【０００６】
本発明によれば、枯葉排出機構によって枯葉等が詰まったり蓄積しない野で、雨樋の排水不良が無くなる、さらに地中に埋設された雨水排水の溜め升にも、堆積物がかなり少なくなり、排水不良が起こらない、それによって非常に衛生的な住環境が得られる。
【発明を実施するための最良の形態】
【０００７】
以下、図面に示す実施例に基つき、本発明の実施の形態を説明する。
【実施例】
【０００８】
図１は本発明に係る木の葉排出型集水器の実施例を示す外観図と断面図である。
本発明の枯葉排出型集水器１は、軒樋接続部２、網部３、枯葉排出口４、立て樋接続部５から形成されている、なお前記網部３は軒樋接続部２から枯葉排出口４に目がけて下り勾配に湾曲されている。
【０００９】
本発明の枯葉排出型集水器１は、左右の軒樋６から集められた雨水と枯葉を、雨水のみを網部３の底を通して立て樋接続部５へ導き、枯葉を雨水の流水圧によって、網部３の上端を滑らせ枯葉排出口４から枯葉排出型集水器１の外に排出する。
【００１０】
網部の代わりに、溝を施してもよい。
【産業上の利用可能性】
【００１１】
本発明は、ほとんどの住宅の雨樋に利用可能であり、特に山際の住宅や庭にケヤキなどの落葉樹などの植木のある住宅には必要不可欠なアイテムとなりうる。
【図面の簡単な説明】
【００１２】
本発明に係る枯葉排出型集水器の実施例を示す外観図と断面図である。
【図１】外観図（正面図）
【図２】外観図（側面図）
【図３】Ａ−Ａ‘断面図
【図４】Ｂ−Ｂ‘断面図
【図５】背景技術参考文献    （特許文献２）特開２００１−２４１１５３
【符号の説明】
【００１３】
１    枯葉排出型集水器
２    軒樋接続部        
３    網部
４    枯葉排出口      
５    立て樋接続部      
６    軒樋
【図１】
2008202276.tif 000003
【図２】
2008202276.tif 000004
【図３】
2008202276.tif 000005
【図４】
2008202276.tif 000006
【図５】
2008202276.tif 000007
(57)【要約】【課題】洋式便器本体の後方位置にまで届いた小水で、洋式便器本体の周縁上面やトイレ床面だけでなく、起立させた便座やその後ろのカバーを汚すことがない洋式便器を提供する。【解決手段】洋式便器本体２の上端開口部の前半に位置する周縁２ａが水平となり、この便器本体２の周縁２ａで後方の位置に、上端開口部周縁２ａの中程から後部が上方へ弧を描いて立ち上がり、周縁３ａで囲まれた溝状となって洋式便器本体２の内部と連通し、小水を洋式便器本体２の内部に導入する立ち上がり部３が設けてある。【選択図】図１
2008202358.tif 000002
【特許請求の範囲】
【請求項１】
洋式便器本体の上端開口部の周縁で後方の位置に、この便器本体の内部と連なる延長状態で上方に延びる立ち上がり部を設けた洋式便器。
【発明の詳細な説明】
【技術分野】
【０００１】
この発明は、洋式便器本体の後方の位置に、放尿時の小水受けとなる立ち上がり部を設けた洋式便器に関する。
【背景技術】
【０００２】
一般に、洋式便器は、洋式便器本体の上部周縁の上面がフラットに形成され、この洋式便器本体の上部周縁の後部位置に便座とカバーを起伏自在に設けた構造を有し、洋式便器本体の上に倒した便座に座って用便を行うものであるが、男性は放尿時に立って放尿するため、その時はカバーと便座を起こすようにしている。
【０００３】
ところで、男性の放尿は身体構造上、小水の方向が定まりにくく、洋式便器本体の外部に小水が飛び散りやすいものであるが、通常は本人が注意をすれば飛び散りを防ぐことができる。
【０００４】
しかし、男性の場合、特に子供の場合は、寝起きのときには生理現象で前方へ勢いよく放尿する状態になっているので、洋式便器本体の前に立って放尿すると本人が注意をしていても、洋式便器本体の後方位置にまで小水が届くことになり、このため、洋式便器本体の周縁上面だけでなく、起立させた便座やその後ろに起立するカバーまで小水で汚すという問題がある。
【発明の開示】
【発明が解決しようとする課題】
【０００５】
そこでこの発明の課題は、洋式便器本体の後方位置にまで届いた小水で、洋式便器本体の周縁上面だけでなく、起立させた便座やその後ろのカバーを汚すことがない洋式便器を提供することにある。
【課題を解決するための手段】
【０００６】
上記のような課題を解決するために、この発明は、洋式便器本体の上端開口部の周縁で後方の位置に、この便器本体の内部と連なる延長状態で上方に延びる立ち上がり部を設けた構成を採用したのである。
【０００７】
ここで、上記洋式便器本体は、上端開口部の前半に位置する周縁が水平となり、この上端開口部周縁の中程から後部が上方へ弧を描いて立ち上がり、この立ち上がり部は周縁で囲まれた溝状となって洋式便器本体の内部と連通し、小水を洋式便器本体の内部に導入することができるようになっている。
【０００８】
上記洋式便器本体の上部に設けた便座とカバーは、洋式便器本体の上端開口部の周縁から立ち上がり部に重なるように形成され、この立ち上がり部の上端部の位置にヒンジ機構を用いて起伏可能に取付けられている。
【発明の効果】
【０００９】
この発明によると、洋式便器本体の上端開口部の周縁で後方の位置に、上方に延びる立ち上がり部を設けたので、男性の放尿時に、洋式便器本体の後方位置にまで届いた小水を立ち上がり部で捕捉して洋式便器本体の内部に導入することができ、洋式便器本体の周囲床面や洋式便器本体の周縁上面だけでなく、起立させた便座やその後ろのカバーを小水で汚すことがなくなり、便器を衛生的に保つことができる。
【発明を実施するための最良の形態】
【００１０】
以下、この発明の実施の形態を添付図面に基づいて説明する。
【００１１】
図示のように、洋式便器１は、水洗式となる洋式便器本体２の上端開口部の周縁２ａで後方の位置に、この便器本体２の内部と連なる延長状態で上方に延びる立ち上がり部３が設けられている。
【００１２】
上記洋式便器本体２の上端開口部の前半に位置する周縁２ａは水平となり、この上端開口部周縁２ａの中程から後部が立ち上がり部３となって上方へ弧を描いて立ち上がり、この立ち上がり部３は、周縁３ａで囲まれた溝状となって洋式便器本体２の内部と連通し、小水を洋式便器本体２の内部に導入することができるようになっている。
【００１３】
この立ち上がり部３は、図４の場合、洋式便器本体２の水平となる周縁２ａの最大幅の部分から、そのままの幅で弧状に立ち上がって上端部が水平となる形状としたが、例えば、周縁２ａの最大幅の部分から内側に向けて両側を絞り込み状としながら立ち上げ、上端部を円弧としたような形状を採用してもよい。
【００１４】
上記洋式便器本体２の上部に設ける便座４とカバー５は、洋式便器本体２の上端開口部の周縁２ａから立ち上がり部３の周縁３ａ前面に重なるように形成され、この立ち上がり部３の上端部と便座４及びカバー５の後端の位置に設けた一対のヒンジ機構６を軸７で結合することにより、洋式便器本体２上に対して起伏可能となるように取付けられている。
【００１５】
なお、洋式便器１は、後方に貯水タンク８を配置した例を示したが、洋式便器１に対する水洗方式は周知のものを採用すればよい。
【００１６】
この発明の洋式便器１は、上記のような構成であり、男性の小用の場合は、洋式便器本体２の前に立ち、図２のように、便座４とカバー５を起こして起立させ、洋式便器本体２内に放尿するものであるが、洋式便器本体２の上端開口部の周縁２ａで後方の位置に上方に延びる立ち上がり部３が設けてあるので、前方に向けて勢いよく放尿された場合に、洋式便器本体２の後方位置にまで届いた小水が立ち上がり部３で捕捉され、小水をこの立ち上がり部３で洋式便器本体２の内部に導入することができ、従って、洋式便器本体２の周囲床面や洋式便器本体２の周縁２ａ上面だけでなく、起立させた便座４やその後ろのカバー５を小水で汚すことがなくなり、汚した洋式便器本体２を掃除する手間が省け、トイレ室内及び洋式便器本体２を衛生的に保つことができる。
【００１７】
なお、洋式便器本体２の上部に便座４とカバー５を設けてあるので、便座４を洋式便器本体２の上に倒せば、女性の場合でも従来の洋式便器と同様に使用することができる。
【図面の簡単な説明】
【００１８】
【図１】この発明に係る洋式便器の要部を切り欠いた縦断側面図
【図２】この発明に係る洋式便器の便座とカバーを起こした状態を示す要部の拡大した縦断側面図
【図３】この発明に係る洋式便器を示すカバーを切り欠いた斜視図
【図４】この発明に係る洋式便器の便座とカバーを省いた洋式便器本体を示す斜視図
【符号の説明】
【００１９】
１        洋式便器
２        洋式便器本体
３        立ち上がり部
４        便座
５        カバー
６        ヒンジ機構
７        軸
８        貯水タンク
【図１】
2008202358.tif 000003
【図２】
2008202358.tif 000004
【図３】
2008202358.tif 000005
【図４】
2008202358.tif 000006
(57)【要約】【課題】特殊な機械装置を設けないで、飛砂の防止が可能となり、簡単に行える飛砂の防止方法を提供することを目的とする。【解決手段】地表面に凸状部又は凹状部或は凸状部及び凹状部とを設けることにより、土砂の飛散を防止することを特徴とする飛砂の防止方法。【選択図】なし【特許請求の範囲】
【請求項１】
地表面部に凸状部又は凹状部或は凸状部及び凹状部とを設けることにより、土砂の飛散を防止することを特徴とする飛砂の防止方法。
【発明の詳細な説明】
【技術分野】
【０００１】  本発明は、渇水期のダム湖の湖底等における飛砂の防止方法に関する。
【背景技術】
【０００２】  従来、広域なダム湖等に堆積した土砂は季節により渇水期になると湖底が露出することによって湖底の土が乾燥し、この土が風に乗って、飛ばされ周辺に土砂を飛散させているのが現状である。この飛散した土砂は、農作物の葉に堆積し、農作物の成長を阻害したり、或は人の呼吸器官に障害を来たし、人的健康被害を及ぼしている。この土砂の飛散を防止する方法として、従来人や散水装置によって散水して、表土を湿らせたり、複数個の縦方向および横方向に彎曲した弧状湾曲板を隣接する前記弧状彎曲板の横方向端部との間に適宜間隔を設けて配設したりして、飛砂を防止していた。（特許文献１参照）【０００３】  特許文献１  特公昭５８−５７５６５号広報
【発明の開示】
【発明が解決しようとする課題】
【０００４】  しかしながら、例えばダムのような場合、渇水期と湛水期とが交互に有り、特に渇水期におけるダム湖の管理上に問題があった。  すなわちダム湖の年間の大半は湛水状態にあることから、機械設備や構造物等を設置して飛砂の防止を行っても、湛水期にはダム湖の下になるために撤去しなければならず、作業が煩雑になる欠点があった。  そこで本発明者は、これら従来の欠点を解消するために種々研究を重ね、特殊な機械、装置を設けることなく、飛砂の防止が可能となり、簡便な方法で行えるような処理方法について種々研究を重ねた結果本発明を完成するに至った。  すなわち、本発明は、地表面部に凸状部又は凹状部或は凸状部及び凹状部とを設けることにより、土砂の飛散を防止することを特徴とする飛砂の防止方法である。
【発明の効果】
【０００５】  本発明方法によれば、例えば渇水期におけるダム湖の露出した湖底に凸状部又は凹状部或は、凸状部及び凹状部とを設けることにより、風の流れを断続的に細分化して、風を減勢させ、凸状部又は凹状部或は、凸状部及び凹状部における凸状部の裏部及び／又は凹状部の淀み部にカルマン渦流現象を利用して砂塵を集め、飛砂の防止行うことが出来る。  広域地に風が吹くと、従来、風が走ることにより巻き上げていた砂塵が、凸状部の抵抗部で、減速・移流・細分化され抵抗部背後や前部に微細な砂粒子が集まり飛砂の防止をすることができる。  また凹状部３にも微細な土砂粒子が溜まり、凸状部１及び凹状部３で風の力を何れも減速することができるので、砂塵の発生が減少する。
【発明を実施するための最良の形態】
【０００６】  次に本発明方法について以下に説明するが、本発明は以下の説明のみに限定されるものではない。  まず本発明方法について説明する。  図１に示すように土或は石等で山形の凸状部１を設ける。凸状部１は例えば千鳥形に配置し複数設けられ、凸状部群２が形成される。【０００７】  本発明の凸状部１の断面形状は、図２のような山形、台形等種々の形状のものが使用できる。また図３のように地表面を掘って凹状部３を形成し、その両側及び／又は片側に凸状部１を設けてもよい。これらの凸状部１或は凹状部３を形成するには、例えばブルトーザーやショベルカー、バックホー等の重機で溝を掘って凹状部３を形成したり、片側或は両脇に掘削した土砂を盛り上げ、堤等の凸状部１を設けても良い。  また凸状部１の形態は盛土状の山形、或は直線形、曲線形、折曲形等の種々の線状形の凸状部１とすることができる。  凹状部３の形態は単体の丸形の穴や、凸状部１に沿って直線形、曲線形、折曲形等の種々の形状の凹状部３とすることができる。【０００８】  また他の態様として凸状部１の形態は図４に示した直線形が連続的に並んだもの以外に、図５に示した碁盤の目のように交わったものや、その他格子や種々の幾何学的図形等に配設することによって風向きの影響を受けることなく飛砂を防止することが出来る。【０００９】  本発明方法は、他の場所から礫、小石、砂等を運びこむ必要が無く、地表面を掘ってその土砂を盛り上げることで凸状部１と凹状部３を同時に構築することが出来る。【００１０】  渇水期が終わっても、凸状部１は崩して元のように平にすることなく、そのままにダム湖の下に沈んでもなんら問題は無く、翌年の渇水期にそのまま使用することが出きる。【００１１】  本発明方法は他の形態として、凸状部１の頂上部の全体及び一部分にネットを展張して設置することも出来る。  このようにネットを水平に設置することによって、風の細粒化、風力の細分化を行うことが出来るので砂塵の飛砂を防止できる。【００１２】  さらに他の態様として凸状部の設置方法として、地表面にタイヤを置き、タイヤの内側に土砂を入れたもので山形を形成することができ、またタイヤを連続的に配列することによって例えば図４或は図５のように配置することも出来る。  凸状部１を構成するための素材としてはゴム、天然繊維、合成繊維、合成樹脂、金属等が用いられ、形状も山形、台形状のものの他、板状のもの、網状のもの等も用いられる。
【図面の簡単な説明】
【００１３】
【図１】・・・凸状部群を設けた場合の斜視図
【図２】・・・凸状部の断面図
【図３】・・・本発明の凸状部及び凹状部を示す一部の断面図
【図４】・・・本発明の直線状に設けた凸状部の平面図
【図５】・・・本発明の凸状部を交差するように設けた場合の平面図
【符号の説明】
【００１４】１・・・凸状部２・・・凸状部群３・・・凹状部
【図１】
2008202382.tif 000002
【図２】
2008202382.tif 000003
【図３】
2008202382.tif 000004
【図４】
2008202382.tif 000005
【図５】
2008202382.tif 000006
(57)【要約】      （修正有）【課題】車全体を包み込み容易に開閉、折りたたみ可能にしたことで、防犯、防風雨に対応、且つ、環境に調和し美観の良いテント式車庫を提供する。【解決手段】半円状態に曲げたパイプ支柱１０本が、連動して前後に倒れるようにするためとドーム全体の安定を保つため、テントシートとパイプ支柱を結び固定し、各支柱と支柱とは、半円の中心部を等間隔にひもで結び固定した。部分的には支柱１は、接地面を低くするために関節１１をつけた。各支柱パイプの折りたたみ時、コンパクトに収まるようにするため支柱を取り付ける支柱台座１２の取付穴に段差をつけ、支柱１、３、５、７、９は前記支柱台座の内側に、支柱２、４、６、８は外側に取り付けることで重なりを向上した。【選択図】図４
2008202386.tif 000002
【特許請求の範囲】
【請求項１】
この発明は、（１）自動車シートをドーム型にして、車全体を包みこみ、且つ（２）移動、設置を簡単にしたドーム型テント。  このドーム型テントの（３）骨組みである半円形支柱の左右２カ所の支点を軸に、支柱全体が、（４）前後に連動して倒れ重なるようにしたことで、全体の開閉を可能とし、コンパクト収納で、全体開閉式ドーム型テント。
【発明の詳細な説明】
【技術分野】
【０００１】    この発明は、全体開閉式で、ドーム形状にした、テント車庫に関するものである。
【背景技術】
【０００２】    従来、テントは固定設置で、用途が限定され、風雨に弱く、開閉、移動、設置が困難である。本考案はこれらの欠点を除き、さらに使用方法も容易で、多用途で、美観の良いものにするものである。
【発明の開示】
【発明が解決しようとする課題】
【０００３】    全体をドーム形にすることで、風雨に強く、曲線の美観もよく、全体開閉式にすることで、使用目的、場所が多様化できる。全車体を包み込むことで風塵を防ぎ、さらに外から、車種、車内が見えなくなることで、防犯対策としても、効果的とおもわれる。
【課題を解決するための手段】
【０００４】    全体の骨組みを、半円形に曲げたパイプ支柱１〜１０（図１、２、３）で構成し、その半円支柱の左右２カ所の支点を、それぞれ左右に集め、ドームの左右側面の支柱台座（１２）（図１、２、３）２カ所に結合させるとともに、各支柱１０本も  相互間を連結することで、全体が連動して前後に倒れる仕組みにした。支柱１〜９（図３）と、支柱台座の結合部（図４、５）を、穴止めにして、取付ピンボルト（図５、６）を軸に回転できるようにした。それぞれの取付穴の位置に段差をつけ、その仕組みによって、ここを軸に支柱全体が放物線状に、前後に重なって倒れる。且つ、ドーム全体の安定を保つために、テントシートと各支柱を結び固定させ、支柱と支柱は半円の中心部（図１）を等間隔に、ひもで結び連結固定した。これによりシートの張りと曲線も保てた。
【発明の効果】
【０００５】    入庫後も、支柱を押せば、簡単に全体を開くことができ、車体が露出できる。引き起こせば、折たたまれた状態のテント部分が、元に戻り容易に車体を包み込める。
【発明を実施するための最良の状態】
【０００６】    以下、本発明の実施例について説明する。オープン状態の車庫に、車体を入れ込み、折りたたまれた支柱１のテントシート部を引き起こすと、連動してドーム状態となり車体全体を包み込み、必然的に、雨、風塵から守る。洗車、点検時は押し開き使用、便利で容易である。  他用途としては、テントシートを、透明ビニールに取り替えることで、温室ハウスとなり、随時に開閉できるので、露地栽培などもできる、全天候型ハウスとなる。  テントシート部分の前後や側面を開け放てば、物干し場としてもつかえる。
この仕組みは、小型化することで、トラックの荷台カバーとしても応用でき、且つ、ベッド全体のカバーとしてシートの工夫で、防虫、防音、保温、装飾用に考察できる。
【図面の簡単な説明】
【０００７】
【図１】本発明の正面図である。
【図２】本発明の斜視図である
【図３】本発明の側面図である。
【図４】本発明の支柱台座である。
【図５】支柱取付部分の拡大図である。
【図６】支柱取付部分の側面図である
【符号の説明】
【０００８】１、３、５、７、９支柱（内側取付）  ２、４、６、８支柱（外側取付）
１０補助支柱、１１関節、１２支点台座、１３接地面への固定パイプ
【図１】
2008202386.tif 000003
【図２】
2008202386.tif 000004
【図３】
2008202386.tif 000005
【図４】
2008202386.tif 000006
【図５】
2008202386.tif 000007
【図６】
2008202386.tif 000008
(57)【要約】      （修正有）【課題】各部材の結合部となる縁が補強材の役目を果たすため、特に梁や柱を必要としない、１ＢＯＸ車もしくは２ＢＯＸ車の荷室に分解して積み重ねた部材を収納しても、開口部があるため他の小物の出し入れに特に支障をきたすことがない、簡易建物を提供する。【解決手段】硬殻箱状のテントを縦横に切断し、各部材の切断部に縁を取りつけた上、縁同士を結合できる構造としたもので、分解したときに各部材を積み重ねて収納できるように考慮された成型板を用いて組み立てる。【選択図】図１
2008202383.tif 000002
【特許請求の範囲】
【請求項１】
分解したときに各部材を積み重ねて収納できるように考慮された成型板で組み立てる硬殻箱状のテント。
【発明の詳細な説明】
【技術分野】
【０００１】この発明は、収納、移動が簡便で強度に優れた、成型板で組み立てる硬殻箱状のテントに関するものである。
【背景技術】
【０００２】従来、テントといえば綿や合成繊維を使用した、いわゆる布製であった。
しかし、薄い布地の覆いでは完全に身の安全を委ねることができず、常に不安にさいなまれてきた。
【発明の開示】
【発明が解決しようとする課題】
【０００３】従来の布製テントの脆弱性をなくし、収納、移動、組立の簡便性を生かしたテントとするものである。
【課題を解決するための手段】
【０００４】分解したときに各部材を積み重ねて収納できるように考慮された成型板で組み立てる硬殻箱状のテントとする。
【発明の効果】
【０００５】従来の布製テントに比べて強度が格段に向上している。
各部材の結合部となる縁が補強材の役目を果たすため、特に梁や柱を必要としない。
１ＢＯＸ車もしくは２ＢＯＸ車の荷室に分解して積み重ねた部材を収納しても、開口部があるため他の小物の出し入れに特に支障をきたすことがない。
【発明を実施するための最良の形態】
【０００６】硬殻箱状のテントを縦横に切断し、各部材の切断部に縁を取りつけた上、縁同士を結合できる構造としたもの。
【図面の簡単な説明】
【０００７】
【図１】  本発明のテントを組み立てた状態の斜視図
【図２】  本発明のテントを分解して積み重ねた状態の斜視図
【図３】  ４個の部材が組み合う所に用いる結合具の斜視図
【図４】  ２個の部材が組み合う所に用いる結合具の斜視図
【符号の説明】
【０００８】１    スライド式雨戸
２    網戸
【図１】
2008202383.tif 000003
【図２】
2008202383.tif 000004
【図３】
2008202383.tif 000005
【図４】
2008202383.tif 000006
(57)【要約】      （修正有）【課題】かなりの労働力を必要とされる杭打ち作業を、ばね仕掛けによって、労力の負担が軽減される事を目的とした。【解決手段】１．一端を中心に穴を開けた鉄板で閉じた円筒内に、ばね仕掛けで構成した、打撃面に発生する収縮反発を、適宜間をおいて操作出来る様仕組まれたばね仕掛け筒状杭打ち機。２．筒の一端を肉厚の鉄板で閉じ両翼に、対称形にカーブさせた把手を取り付け、逆に使えばハンマーとして使用できる筒状杭打ち機。【選択図】図１
2008202381.tif 000002
【特許請求の範囲】
【請求項１】
一端を中心に穴を開けた鉄板で閉じた円筒内にばね仕掛けで構成した打撃面に発生する収縮反発を適宜間をおいて操作出来る様仕組まれたばね仕掛け筒状杭打ち機
【請求項２】
筒の一端を肉厚の鉄板で閉じ両翼に対称形にカーブさせた把手を取り付け逆に使えばハンマーとして使用できる筒状杭打ち機
【発明の詳細な説明】
【技術分野】
【０００１】この発明は、かなりの労働力を必要とされる杭打ち作業をばね仕掛けによって労力の負担が軽減される事を目的としたものである。
【背景技術】
【０００２】従来は両手打ちハンマーやエンジン付き動力式のものが主流であった。
【発明の開示】
【発明が解決しようとする課題】
【０００３】従来のエンジン付き動力杭打ち機では排気煙が作業者の顔にかかりまた吸引してしまうので健康に害があると考えられ、また、排気臭が衣服に付着して容易に取れない、太目の杭は打てない、重いので持ち運びが容易でないなどの問題があった。また、両手打ちハンマーでは長い杭が打てなかった。
本発明は、以上の問題点を解決したものである。
【問題解決の手段】
【０００４】１．一端を中心に穴を開けた鉄板で閉じた円筒内にばね仕掛けで構成した打撃面に発生するばねの収縮反発を適宜間をおいて操作出来る様仕組まれた筒状杭打ち機
２．筒の一端を肉厚の鉄板で閉じ両翼に対称形にカーブさせた把手を取り付け逆に使えばハンマーとして使用できる筒状杭打ち機
【発明の効果】
【０００５】したがって、
１．ばね仕掛けでばねの反発力を利用するので持ち上げる際の力の初動の負担が軽減される。
２．把手を対称形にカーブをつけ、握り感覚が平均に保てる様になり手に感じる振動が少なくなる。
３．太い杭、長い杭でもパイプ内で支えられるので作業が容易になる。
【発明を実施するための最良の形態】
【０００６】以下、本発明の実施の形態及び使用法について説明をする。
円筒（１）の一端にスベリ軸（４）の往復する穴を開けた鋼板を溶接し、バルブ状の衝撃版との間にばね（２）を嵌め込みスベリ軸上のばね保定ダブルナット（９）で張り具合を調整する。図１は持ち上げた状態を表したもので次の打ち下ろす時は把手を内側に挟める感覚で力強く杭頭に対し衝撃を与えるとばね（２）は収縮しスベリ軸（４）に刻まれた爪嵌合溝（５）に槓捍（７）の作用によってスベリ爪（６）が溝に嵌り収縮状態で静止する。すなわち、適宜間をおく形となる。これが本発明の最大の特長で、次は把手（８）を外側へ開ける状態で持ち上げるとそれぞれの槓捍が連係して爪を解除し直ちに反発して初動時に大きな力が得られ作業に無理なく繰り返し行う事が出来る。
【図面の簡単な説明】
【０００７】
【図１】  杭打ち機を持ち上げる状態である
【図２】  打ち下ろした状態である
【図３】  平面図
【図４】  請求範囲２項のばね仕掛けなし正面図である
【符号の説明】
【０００８】  １．円筒          ２．ばね              ３．打撃面
４．スベリ軸      ５．爪嵌合溝          ６．出入りスベリ爪
７．ばね付き槓捍  ８．挺子付き中空把手  ９．ばね保定ダブルナット
１０．ねじストッパー    １１．弾性ゴムばねストッパー
１２．木杭        １３．逆打ち面        １４．爪保定ねじ
【図１】
2008202381.tif 000003
【図２】
2008202381.tif 000004
【図３】
2008202381.tif 000005
【図４】
2008202381.tif 000006
(57)【要約】【課題】収納箱になどにおいて、扉、ねじ、蝶番、ストッパーやレールなどの多数の部品を用いる事なくよりシンプルな部品構成で開閉機能を実現する。【解決手段】（イ）開口部上下の縁に沿って２本のマジックテープを設ける。（ロ）カーテンの表面と裏面の上下端末に沿って４本のマジックテープを設ける。さらにカーテンの左右それぞれの端末に巻芯を巻着する。（イ）に（ロ）を取り付ける。本発明は以上の構成により収納箱に開閉機能を備えることが出来る。【選択図】図１
2008202380.tif 000002
【特許請求の範囲】
【請求項１】
（イ）収納箱（１）の開口部上下の縁に沿って２本のマジックテープ（２）、（３）を設ける。
（ロ）カーテン（４）の表面と裏面の上下端末に沿って合わせて４本のマジックテープ（５）、（６）、（７）、（８）を設け、さらにカーテン（４）の左右それぞれの端末に巻芯（９）、（１０）を巻着する。
（イ）に（ロ）を取り付ける事で構成されるカーテン機構。
【請求項２】
請求項１におけるすべてのマジックテープのオスとメスを逆にしたことで構成されるカーテン機構。
【発明の詳細な説明】
【技術分野】
【０００１】本発明は扉などの開閉機能を持たない収納箱などにおいてマジックテープとカーテンを用いて開閉機能を備える仕組みに関するものである。
【発明が解決しようとする課題】
【０００２】従来の技術では、収納箱などに開閉機能を備える場合に引き出し、扉、蝶番、ねじ、レールやストッパーなどの多数の構成部品を取り付ける必要があった。
本発明は以上の問題点を解決しシンプルな部品構成で開閉機能を実現する。
【課題を解決するための手段】
【０００３】（イ）図３に示すように収納箱（１）の開口部上下の縁に沿ってマジックテープ（２）およびマジックテープ（３）を設ける。
（ロ）図４に示すようにカーテン（４）の表面と裏面の上下端末に沿って４本のマジックテープ（５）、（６）、（７）、（８）を設ける。
さらにカーテン（４）の左右それぞれの端末に巻芯（９）および（１０）を巻着する。
（イ）に（ロ）を取り付ける。
本発明は以上の構成により収納箱に開閉機能を備えることが出来る。
【発明を実施するための最良の形態】
【０００４】以下本発明の実施の形態を説明する。
本発明の構成は図３に示す収納箱部（イ）および図４に示すカーテン部（ロ）からなる。
（イ）収納箱部
収納箱（１）に開口部上側の縁に接着されたマジックテープ（２）および開口部下側の縁に接着されたマジックテープ（３）を設ける。
（ロ）カーテン部
カーテン（４）の表面と裏面の上下端末に沿って下記のとおり接着もしくは縫着された４本のマジックテープを設ける。
表面上端末  マジックテープ（メス）（５）
裏面上端末  マジックテープ（オス）（６）
表面下端末  マジックテープ（メス）（７）
裏面下端末  マジックテープ（オス）（８）
つまりカーテンをマジックテープ（オス）とマジックテープ（メス）で挟み込んだ構造となる。
さらにカーテン（４）の左右の端末に巻芯（９）および巻芯（１０）を巻着する。
（イ）に（ロ）取り付ける。
この際に開口部上側のマジックテープ（２）とマジックテープ（６）、および開口部下側のマジックテープ（３）とマジックテープ（８）がそれぞれ掛合するように取り付ける。
本発明は以上の構成による。
なお本構成におけるすべてのマジックテープのオスとメスを逆に設ける事でも構成が可能である。
本発明を使用する方法は下記のとおりである。
（ニ）カーテンを右側から開ける場合
巻芯（９）を左側に転動するとカーテン（４）が右側から巻き取られる。
その際に以下のような仕組みが働いている。
収納箱に設けられたマジックテープ（２）および（３）とカーテン（４）の裏面に設けられたマジックテープ（６）および（８）が剥離していくと同時にカーテン（４）の表面のマジックテープ（５）および（７）とカーテン（４）の裏面のマジックテープ（６）および（８）が連続的に掛合していく事でカーテン（４）は脱落する事無く巻き取られる。
（ホ）カーテンを左側から開ける場合
（ニ）と同様で巻芯（１０）を右側に転動するとカーテン（４）が左側から巻き取られる。
（ヘ）カーテンを右側に閉める場合
（ニ）の逆で巻芯（９）を右側に転動すると巻き取られたカーテン（４）が連続的に解けて収納箱のマジックテープに掛合していく。
（ト）カーテンを左側に閉める場合
（ホ）の逆で巻芯（１０）を左側に転動すると巻き取られたカーテン（４）が連続的に解けて収納箱のマジックテープに掛合していく。
【発明の効果】
【０００５】収納箱になどにおいて、扉、ねじ、蝶番、ストッパーやレールなどの多数の部品を用いる事なくマジックテープとカーテンを用いよりシンプルな部品構成で開閉機能を備える事が出来る。
また図５のような曲線で構成された開口部や図６のような縦方向の開閉機構にも適用が可能なので設計の自由度が向上する。
【産業上の利用可能性】
【０００６】本発明は図５や図６のように適用出来る部位の設計自由度が高いために、収納家具類をはじめ自動車内装の収納部や住宅における脱着が可能なカーテンなど、様々な分野での幅広い利用が考えられる。
また製造仕様上もともと開閉機構を持たない収納家具類に後から開閉機構を付加したい場合などにも利用が考えられる。
【図面の簡単な説明】
【図１】本発明の斜視図
【図２】本発明の要部拡大の上面図
【図３】収納箱部のみを示す斜視図
【図４】カーテン部のみを示す斜視図
【図５】本発明の適用例を示す斜視図
【図６】本発明の適用例を示す斜視図
【符号の説明】
（１）収納箱、
（２）マジックテープ（メス）
（３）マジックテープ（メス）
（４）カーテン
（５）マジックテープ（メス）
（６）マジックテープ（オス）
（７）マジックテープ（メス）
（８）マジックテープ（オス）
（９）巻芯
（１０）巻芯
【図１】
2008202380.tif 000003
【図２】
2008202380.tif 000004
【図３】
2008202380.tif 000005
【図４】
2008202380.tif 000006
【図５】
2008202380.tif 000007
【図６】
2008202380.tif 000008
(57)【要約】【課題】入浴時に装着したまま浴槽に入ることや、装着部を洗うことも出来る滑り止め足袋を提供する。【解決手段】滑り止め効果があり、速乾性のある軟質樹脂を施した網状の素材で形成し、足を挿入する足口１に、ゴムの収縮で足全体を覆うゴム部２を有し、足の親指と他の指とを分ける形で履けるよう形成された指股部３を設けたものから構成される。【選択図】図１
2008202161.tif 000002
【特許請求の範囲】
【請求項１】
全体が網状で、少なくとも床にあたる部分に軟質樹脂を施した滑り止め効果のある素材で構成され、足指部の親指と他の指との間を分割するように設けた指股部を持つ、足指を露出するよう形成した足袋。
【発明の詳細な説明】
【技術分野】
【０００１】
本発明は、風呂、温泉等の入浴時の滑り止めを図った履物に関するものである。                                                    
【背景技術】
【０００２】
従来、風呂や、温泉等の入浴時の滑り止めとして、床や浴槽に敷くマットはある。（特許文献１参照）
【０００３】
洗い場等での滑り止め用のゴム草履などを配置してあるところもあるが、主に従事者用であり、浴槽にそのまま入るものではない。
【０００４】
足に直接つける滑り止め具（特許文献２参照）や、滑り止め靴（特許文献３参照）は考案されているが、滑りやすい踵が露出しているものや、足指が出ていないことで入浴時にそのままでは洗いづらく、履きやすさに於いても手間を要するものである。
【０００５】
【特許文献１】特開２００１−１６１５７７
【特許文献２】特開２００６−８１８９９
【特許文献３】特開２００４−１１０８７
【発明の開示】
【発明が解決しようとする課題】
【０００６】
以上に述べた従来の入浴では、お年寄りや子供などは足元が危険で、介護なしに入浴しづらい環境にあった。特に、大勢の人が入浴する温泉などではその成分でぬめりが発生するがマットを敷くなどの対策はほとんどされていない。また、これまでにある一般的なゴム草履では浴槽へそのまま入ることができない。本発明はこのような入浴時の問題を解決しようとするものであり、滑り止めの足袋を着用することで、誰もが安全に入浴を楽しむことを目的とするものである。
【課題を解決するための手段】
【０００７】
全体が網状で、少なくとも床にあたる部分に軟質樹脂を施した滑り止め効果のある素材で構成され、足指部の親指と他の指との間を分割するように設けた指股部を持つ、足指を露出するよう形成した足袋。
【発明の効果】
【０００８】
滑り止め効果のある網状の足袋にすることで、着用したまま浴槽に入ることや、体を洗うことができ、足元の危ない年寄りや子供でも、安全に入浴することができる。また、介護用として本発明を使用することにより、介添人の人数を減らすことや、従来滑らないよう支えていた労力などを減らすことが出来る。
【発明を実施するための最良の形態】
【０００９】
以下、本発明に係る実施形態について、図１を用いて説明する。
【００１０】
図１は本実施形態の全体図であり、滑り止め効果があり、また、装着したまま足を洗いやすく、速乾性があり汚れが付着しにくい塩化ビニール樹脂、アクリル樹脂、シリコン樹脂などでコーティングした網状の素材で形成されている。滑り止め効果、履き心地、洗いやすさを鑑み、網目は７ｍｍ角程度の大きさが好適である。１の足を挿入する足口に、２のゴム部が施されており、ゴムの収縮で足全体を覆う。２のゴム部には、化学繊維で覆った細いゴムおよびシリコンゴムを用いると生ゴムアレルギーもなく好適である。３は足の親指と他の指とを分ける形で履けるよう形成された指股部で、少なくとも１ｃｍの幅を設けることで、安定し、使用感が良好になる。
【実施例】
【００１１】
同様の方式で指出し手袋にすると、湯船から立ち上がるときの補助具になる。
【００１２】
くるぶしまでのブーツタイプにすることで、さらに脱げにくくなり、子供がプールで遊ぶ際の転倒防止に効果を発揮する。
【図面の簡単な説明】
【００１３】
【図１】本発明の実施形態を示す全体図
【図２】同足袋の上方から見た外観図
【図３】同足袋の底側から見た外観図
【図４】同足袋の横から見た外観図
【図５】同足袋の正面から見た外観図
【符号の説明】
【００１４】
１  足の挿入部
２  足首ゴム部
３  指股部
４  足親指の開口部
５  人差し指、中指、薬指、小指の開口部
【図１】
2008202161.tif 000003
【図２】
2008202161.tif 000004
【図３】
2008202161.tif 000005
【図４】
2008202161.tif 000006
【図５】
2008202161.tif 000007
(57)【要約】【課題】  弁ケーシングを分解せずに弁座部材を取外すことのできるフリーフロート式ドレントラップを提供する。【解決手段】  本体１と蓋２で弁ケーシングを形成する。弁ケーシングに入口５と弁室４と出口７を形成する。弁室４を出口７側に連通する排出通路８を有する弁座部材９の弁室４側端を弁室４内に突出させて蓋２に着脱可能に取り付ける。弁室４内に弁座部材９の弁室４側端に直接に離着座して排出通路８を開閉する球形フロート１２を自由状態で配置する。排出通路８と同軸でフロート１２よりも微少大きい半径の部分円筒面状のフロート座１３を軸方向に互いに平行に二条に形成する。弁座部材９の弁室４側突出部の外周に弁室４内に突出する環状補助弁座１１を形成し、環状補助弁座１１の弁室４側端を弁座部材９の弁室４側端よりも後方に位置させる。【選択図】      図１
2008202621.tif 000002
【特許請求の範囲】
【請求項１】
弁ケーシングで入口と弁室と出口を形成し、弁室を出口側に連通する排出通路を有する弁座部材の弁室側端を弁室内に突出させて弁ケーシングに着脱可能に取り付け、弁室内に弁座部材の弁室側端に直接に離着座して排出通路を開閉する球形フロートを自由状態で配置し、排出通路と同軸でフロートよりも微少大きい半径の部分円筒面状のフロート座を軸方向に互いに平行に二条に形成し、弁座部材の弁室側突出部の外周に弁室内に突出する環状補助弁座を形成し、環状補助弁座の弁室側端を弁座部材の弁室側端よりも後方に位置させたことを特徴とするフリーフロート式ドレントラップ。
【発明の詳細な説明】
【技術分野】
【０００１】
本発明は、蒸気や圧縮空気やガス配管系に発生するドレンを自動的に排出するフリーフロート式ドレントラップに関し、特にフロートが離着座する弁座部材を簡単に修理交換できるものに関する。
【背景技術】
【０００２】
従来のフリーフロート式ドレントラップは、弁ケーシングで入口と弁室と出口を形成し、弁室を出口側に連通する排出通路を有する弁座部材の弁室側端を弁室内に突出させて形成し、弁室内に弁座部材の弁室側端に直接に離着座して排出通路を開閉する球形フロートを自由状態で配置し、排出通路と同軸でフロートよりも微少大きい半径の部分円筒面状のフロート座を軸方向に互いに平行に二条に形成したものである。
【０００３】
上記従来のフリーフロート式ドレントラップは、弁座部材を修理したり交換したりするときに弁ケーシングを分解して弁座部材を取外さなければならないので、流体が弁ケーシング外に漏出しないように入口側にバルブを配してそのバルブを開閉操作しなければならない。そのため、バルブの開閉操作を忘れると流体を弁ケーシング外へ漏出する問題や排出すべくドレンを排出できなくなる問題点があった。
【特許文献１】実公昭６３−１２３１８号公報
【発明の開示】
【発明が解決しようとする課題】
【０００４】
解決しようとする課題は、弁ケーシングを分解せずに弁座部材を取外すことのできるフリーフロート式ドレントラップを提供することである。
【課題を解決するための手段】
【０００５】
本発明は、弁ケーシングで入口と弁室と出口を形成し、弁室を出口側に連通する排出通路を有する弁座部材の弁室側端を弁室内に突出させて弁ケーシングに着脱可能に取り付け、弁室内に弁座部材の弁室側端に直接に離着座して排出通路を開閉する球形フロートを自由状態で配置し、排出通路と同軸でフロートよりも微少大きい半径の部分円筒面状のフロート座を軸方向に互いに平行に二条に形成し、弁座部材の弁室側突出部の外周に弁室内に突出する環状補助弁座を形成し、環状補助弁座の弁室側端を弁座部材の弁室側端よりも後方に位置させたことを特徴とする。
【発明の効果】
【０００６】
本発明のフリーフロート式ドレントラップでは、弁ケーシングを分解せずに弁座部材を取外すことができるので、流体を弁ケーシング外へ漏出することがないという優れた効果を生じる。また、入口側のバルブを開閉操作する必要がないので、排出すべくドレンを排出できなくなることがないという優れた効果を生じる。
【発明を実施するための最良の形態】
【０００７】
本発明のフリーフロート式ドレントラップは、弁座部材を弁ケーシングに着脱可能に取り付け、排出通路と同軸でフロートよりも微少大きい半径の部分円筒面状のフロート座を軸方向に互いに平行に二条に形成し、弁座部材の弁室側突出部の外周に弁室内に突出する環状補助弁座を形成し、環状補助弁座の弁室側端を弁座部材の弁室側端よりも後方に位置させたものである。そのため、弁座部材を弁ケーシングから取外すと、フロートがフロート座に案内されて環状補助弁座に着座するので、弁ケーシングを分解せずに弁座部材を取外すことができる。
【実施例１】
【０００８】
上記の技術的手段の具体例を示す実施例を説明する（図１参照）。本体１に蓋２をボルト３で締結して弁ケーシング形成し、内部に弁室４を形成する。本体１は入口５と出口通路６と出口７を有し、入口５は弁室４の上部に連通する。入口５と出口７は同一軸上に形成する。弁室４の下部の蓋２に排出通路８と複数の通孔１４を有する弁座部材９を着脱可能にねじ結合する。蓋２は出口通路１０を有し、弁室４の下部は排出通路８から通孔１４、出口通路１０，６を介して出口７に連通する。弁座部材９の弁室４側端は弁室４内に突出させる。弁座部材９の弁室側突出部の外周に弁室４内に突出する環状補助弁座１１を形成する。環状補助弁座１１の弁室側端は弁座部材９の弁室側端よりも後方に位置させる。環状補助弁座１１は蓋２に形成したり蓋２とは別体に形成して蓋２に取り付けたりする。
【０００９】
弁室４内に弁座部材９の弁室４側端に直接に離着座して排出通路８を開閉する球形フロート１２を自由状態で配置する。排出通路８と同軸でフロート１２よりも微少大きい半径の部分円筒面状のフロート座１３を軸方向に互いに平行に二条に形成する。フロート１２は弁座部材９を取外したときにフロート座１３に案内されて環状補助弁座１１に着座する。環状補助弁座１１のシール径はフロート１２が離座できない大きさに形成する。
【００１０】
入口５から流入したドレンは弁室４内に溜り、液面の上昇に伴ってフロート１２が浮上し、弁座部材９から離座して排出通路８を開ける。排出通路８が開けられると弁室４内のドレンが排出通路８、通孔１４、出口通路６，１０を通して出口７に排出される。ドレンの排出による液面の低下に伴ってフロート１２が降下して行き、フロート座１３に案内されて弁座部材９に着座してドレンの排出が停止される。フロート１２は弁座部材９を取外したときにフロート座１３に案内されて環状補助弁座１１に着座するので、蓋２と本体１を分解せずに弁座部材９を取外すことができる。
【図面の簡単な説明】
【００１１】
【図１】本発明のフリーフロート式ドレントラップの断面図である。
【符号の説明】
【００１２】
１  本体
２  蓋
４  弁室
５  入口
７  出口
８  排出通路
９  弁座部材
１１  環状補助弁座
１２  フロート
１３  フロート座
１４  通孔
【図１】
2008202621.tif 000003